(57)【要約】【課題】本発明は揮発性物質を必要な時、簡単な操作で発散させることができる即効性ある発散具に関する。【解決手段】可撓性容器を指等の力で曲げて中にあるガラスアンプルが破割し、分離状態にあった薬品が混合してガスが発生し、このガスと同室内にある芳香剤（揮発成分）がガスとともに吸収性素材を通過して容器の発散穴から吹き出る本発明の揮発物質発散は使用に際して簡単な操作で直ちに薬剤や芳香剤の成分を揮発させることが出来、かつ長期間の保存も可能な使い捨て商品を提供できる。【選択図】    図１
2007125265.tif 000002
【特許請求の範囲】
【請求項１】
発散穴を一ヶ以上設けた可撓性容器内に揮発性物質および有機ジカルボン酸又は有機ジカルボン酸の無水物が溶解した溶液を充填した破割性容器を収容し、且つ前記可撓性容器の発散穴を塞ぐように吸収性素材を配置し、前記破割性容器中の有機ジカルボン酸又は有機ジカルボン酸の無水物と破割性容器の外側で可撓性容器内の炭酸塩との混合により気体を発生させることを特徴とした揮発性物質発散具。
【請求項２】
発散穴を一ヶ以上設けた可撓性容器内に揮発性物質およびクエン酸又は無水クエン酸が溶解したアルコール系水溶液を破割性容器を収容し、且つ前記可撓性容器の発散穴を塞ぐように吸収性素材を配置し、前記破割性容器中のクエン酸又は無水クエン酸と破割性容器の外側で可撓性容器内の重曹との混合により気体を発生させることを特徴とした揮発性物質発散具。
【請求項３】
発散穴を一ヶ以上設けた可撓性容器内に揮発性物質およびクエン酸又は無水クエン酸が溶解したアルコール系水溶液をガラス製破割性容器に収容し、且つ前記可撓性容器の発散穴を塞ぐように吸収性素材を配置し、前記ガラス製破割性容器中のクエン酸又は無水クエン酸とガラス製破割性容器の外側で可撓性容器内の重曹との混合により気体を発生させることを特徴とした揮発性物質発散具。
【請求項４】
イヤリング・指輪・ブレスレット・ネックレス・ペンダント等に付けた発散用ケースに着脱自在に装着できる形態とした請求項１、２または３記載の揮発性物質発散具。
【請求項５】
枕、布団、毛布、ソファー等に設けたポケットに着脱自在に装着できる形態とした請求項１、２または３記載の揮発性物質発散具
【請求項６】
人工果物の本体内に埋設あるいは着脱自在に装着できる形態とした請求項１、２または３記載の揮発性物質発散具。
【請求項７】
人工植物等の茎、花、葉等に取着あるいは着脱自在に装着できる形態、或いは埋設した形態とした請求項１２、または３記載の揮発性物質発散具。
【請求項８】
ガーゼマスク、サージカルマスク、衛生管理マスク等に設けたポケットに着脱自在に装着できる形態とした請求項１、２または３記載の揮発性物質発散具。
【請求項９】
人形、動物、キャラクター等のぬいぐるみに設けたポケットに着脱自在に装着できる形態、或いは埋設した形態とした請求項１、２または３記載の揮発性物質発散具。
【請求項１０】
冷暖房器や空気清浄器の噴出し口に付けた発散用ケースに着脱自在に装着できる形態とした請求項１、２または３記載の揮発性物質発散具。
【請求項１１】
ボールペン、シャープペンシルの本体に着脱自在に装着できる形態とした請求項１、２または３記載の揮発性物質発散具清涼具。
【請求項１２】
可撓性容器自体をイヤリング・指輪・ブレスレット・ネックレス・ペンダント等の装飾品の形状としてなる揮発性物質発散具。
【請求項１３】
フック、ピン、クリップ等の取付け金具をつけた香り発散用ケースに着脱自在に装着できる形態とした請求項１、２または３記載の揮発性物質発散具。
【請求項１４】
吸盤あるいは滑り止めを付けた穴つき車内あるいは浴室用香り発散用ケースに着脱自在に装着できる形態とした請求項１、２または３記載の揮発性物質発散具。
【請求項１５】
携帯電話のストラップに掛止した発散用ケースに着脱自在に装着できる形態とした請求項１、２または３記載の揮発性物質発散具。
【請求項１６】
ガラス製の破割性容器に殺虫剤または忌避剤を充填した請求項１、２または３記載の防虫あるいは殺虫用揮発性物質発散具。
【請求項１７】
ガラス製の破割性容器に集魚剤を充填した請求項１、２または３記載の釣り用揮発性物質発散具。
【発明の詳細な説明】
【技術分野】
【０００１】
本発明は揮発性物質を必要な時、簡単な操作で発散させることができる即効性ある発散具に関する。
【０００２】
揮発性物質には例えば芳香剤があり、これは香水やオーデコロン等の天然の動物性・植物性香料および合成香料を適当に調合し、これをアルコールに溶解したものである。一般的にはアルコールに対する香料の賦香率は１５〜２５％である。これに対しオーデコロンは２〜７％ぐらいである。
具体例をあげれば、パルファム  香料２０％、オードトワレ  香料１０％、パルファム  香料１０％、オーデコロン  香料３〜５％これらはエタノールで希釈される。エタノールの濃度は８０〜８５％で１５〜２０％は水である。
食品に使用される香料にはフレーバーがあり、これはプロピレングリコールで希釈される。
揮発性物質には薬剤も含まれ殺虫剤や防虫剤または忌避剤が挙げられる。
【背景技術】
【０００３】
本発明に関連した先行技術には、特願２００１−２０７７２６号、発明の名称「薬剤や芳香剤等の発散具」がある。
この発明は発散穴を一ヶ以上設けた可撓性容器内に薬剤や香料などを充填した破割性ガラスアンプルと吸収性素材を収容しとものである。この構造では破割性ガラスアンプルを破割し、香料が一旦吸収性素材に吸収され、その後発散穴を通って香料が発散されるものである。従ってガラスアンプルの破割直後に臭いが出ない欠点を有していた。さらに薬剤や香料などには揮発性の低いものがあり香りが出るまでに数時間要するものもある。また造花やぬいぐるみ等に挿入（包み込んだ）した形態では外気との接触が制限されており、一層揮発が遅くなる欠点を有していた。
【特許文献１】特願２００１−２０７７２６号
【発明の開示】
【発明が解決しようとする課題】
【０００４】
本発明が解決しようとする第一の課題は従来のこれらの問題点を解消し、揮発性物質（薬剤や芳香液）を必要な時、簡単な操作で迅速に発散させることができる即効性のある小型発散具を提供することにある。第二の課題は長期間保存しても中の薬剤や芳香剤が揮発したり劣化することのない発散具を提供するものである。
【課題を解決するための手段】
【０００５】
かかる課題を解決した本発明の構成は、揮発性物質をガスと共に強制的に放出させることにある。
【０００６】
気体発生の主な原理は  １．強酸による弱酸の遊離  ２．酸化還元反応  ３．濃硫酸の性質を利用した反応  ４．分解反応があるが、薬品の人体への影響、発生するガス（気体）の種類（ＳＯ２，ＮＨ３，ＨＣｌ）を考慮すると、クエン酸と重曹の組み合わせが最適であった。
反応式
3 NaHCO3  ＋  HOOC-C(OH)(CH2COOH)2  →  
重曹                  クエン酸
NaOOC-C(OH)(CH2COONa)2  ＋  3 H2O  ＋  3 CO2 ↑
クエン酸ナトリウム            水      炭酸ガス
本発明において重曹３モルに対しクエン酸１モルの割合で混合するように比率を設定した。
【発明の効果】
【０００７】
本発明によれば使用に際して簡単な操作で直ちに薬剤や芳香剤の成分を揮発させることが出来、かつ長期間の保存も可能な使い捨て商品を提供できる。また、異なった薬剤又は異なるにおいの芳香剤を揃えておけば、ＴＰＯに合った効果的な発散具を選択し使用できる効果も有する。
【発明を実施するための最良の形態】
【０００８】
可撓性容器は透明でも不透明でも着色されたものでもかまわないが、たわむ素材であればよい。一般的にはポリプロピレン、ポリエチレン、ポリウレタン、ナイロン、塩化ビニル等の樹脂を使用する。
図１では円筒状の容器であるがその形状に限定するものではない。同容器には発散穴を図１に示すように一ヶ所設けてもよいし、容器表面に複数個所設けてもよい。
【０００９】
薬剤の中の殺虫剤としては除虫菊や合成ピレトリンを代表とするピレスロイドがある。そのなかでアレスリン、フタルスリン、レスメトリン等がある。
【００１０】
防虫剤あるいは忌避剤としてはフタル酸ジメチルエステル、２−エチル−１．３−ヘキサンジオール、シメチル・カーベイト、Ｎ，Ｎ−ジエチルスクシンアミド酸ノルマルプロピルエステル等があるがこれらに限定するものではない。
又、この防虫剤には繊維製品の防虫剤も含まれる。
【００１１】
香料は一価アルコールや多価アルコールで希釈するが、代表的なものとしてエチルアルコール、ＤＰＧ，３−メチル−３−メトキシブタノール、プロピレングリコールがあり柑橘系香料には酸化されやすいリモネンが含まれているので酸化防止剤をいれる。
【００１２】
有機ジカルボン酸にはクエン酸、コハク酸、リンゴ酸、フマル酸、酒石酸などがあるが、最適な組み合わせはエチルアルコールとクエン酸である。また炭酸塩は炭酸と金属の塩であり炭酸ナトリウム、炭酸水素ナトリウム（重曹）が代表例である。
【００１３】
芳香剤は液体芳香剤を使用し、香水やオーデコロン等や癒しのにおいが出るものも含まれる。破割性容器はガラス容器が最良であり、ガラスの場合は指の力で破割できる薄肉のものを使用する。ガラスの厚みは０．１〜０．４ｍｍが最適である。
ガラスアンプルを使用する事により、アルコール類その他の揮発成分を含んでいる薬剤や芳香剤が高温多湿の条件下でも長期間品質の安定が維持される。
【００１４】
吸収性素材とは天然又は合成繊維質あるいは多孔質よりなる素材であり、薬剤等を一時的に吸収する機能とガラスの細片が飛び出すのを防止する機能がある。
図１に示すように発散穴の近くに装着してもよいし、ガラスアンプルの回りに巻き付けることもある。
【００１５】
使用に際しては、可撓性容器を指等の力で曲げて中にあるガラスアンプルが破割し、分離状態にあった薬品が混合してガスが発生し、このガスと同室内にある芳香剤（揮発成分）がガスとともに吸収性素材を通過して容器の発散穴から吹き出る。
【００１６】
円筒状可撓性容器の長さ２０ｍｍ〜２００ｍｍ、外径３ｍｍ〜１２ｍｍ、肉厚０．２ｍｍ〜３ｍｍの一端又は両端に容器の開口部の直径より小さくした発散穴を設ける。発散穴の内側に吸収性素材を詰める。
破割性容器はガラスアンプル製であり容器にそって細長い形状とし溶封口はとがっている。薬剤等の揮発成分（アルコール類）を含んだ液体をアンプルに充填溶封するにはアンプルの先端開口部を細くし、液剤を入れた後、一瞬にして開口部を熱で溶かし溶封する方法が最適である。しかし、この製法に限定されるものではない。
上記の様に容器全体が細長い円筒状となっている為、手で容易に曲げることが出来るため、ガラスアンプルも簡単に破れる。
【００１７】
揮発性物質発散具の実施の形態を図１に示した。なお破割性容器は全てガラスアンプルを使用した。
【００１８】
粉体の重曹７を前記可撓性容器の中に入れて、次に揮発性物質（香料１０に対し８０のエチルアルコールを加えさらにクエン酸を加え溶解させたものである）が充填されている破割性容器１を入れ、さらに吸収性素材を挿入した後、可撓性容器の開口の径よりも小さくした発散穴を設ける。
破割性容器が破割されて揮発性物質の水溶液が重曹７に接触すると直ちに化学反応が進行し炭酸ガスガ発生する。発泡状態のガスと揮発性物質がよく接触し（接触面積が広い）揮発物はガスと共に強制的に吸収性素材３を通過して発散穴２から外気に排出される。なお重曹を固形化することで反応を穏やかに進めることもできる。
クエン酸にかえて無水クエン酸でも同様の反応をする。
【００１９】
図１の容器を反転して上下逆にすると発散穴２が下部になり、この場合はガス及び揮発成分と共に揮発物質が溶解した溶液も漏れ出してくる場合がある。漏れ出た溶液がクエン酸、重曹および水の場合は人体や器物にほとんど影響をあたえないであろう。
また、なお、発散穴２を塞ぐように配置している吸収性素材の容積が揮発性物質溶液の容積の１倍以上にすると前記の場合でも揮発物質はもれ出ることはない。
【００２０】
次に、溶媒、水、香料、発泡剤の組み合わせについて険討する。
【実施例１】
【００２１】
９５％エタノール水溶液９０％に無水クエン酸１０％を加えた溶液９０％に芳香剤用アップル香料１０％加えた液をガラスアンプルに封入した（％はすべて重量％である）。
【実施例２】
【００２２】
９０％エタノール水溶液９０％に無水クエン酸１０％を加えた溶液９０％に芳香剤用アップル香料１０％加えた液をガラスアンプルに封入した。
【実施例３】
【００２３】
８５％エタノール水溶液９０％に無水クエン酸１０％を加えた溶液９０％に芳香剤用アップル香料１０％加えた液をガラスアンプルに封入した。
【実施例４】
【００２４】
８０％エタノール水溶液９０％に無水クエン酸１０％を加えた溶液９０％に芳香剤用アップル香料１０％加えた液をガラスアンプルに封入した。
【実施例５】
【００２５】
７５％エタノール水溶液９０％に無水クエン酸１０％を加えた溶液９０％に芳香剤用アップル香料１０％加えた液をガラスアンプルに封入した。
【実施例６】
【００２６】
９５％エタノール水溶液９０％に芳香剤用アップル香料１０％加えた液をガラスアンプルに封入した。
【００２７】
ポリプロピレン製円筒容器に重曹粉末と実施例１〜実施例６のアンプルを入れたのち、開口部にフェルトを挿入した。
ガラスアンプルを破壊し容器本体を振って攪拌して、発散状況を調べた。
実施例６は発砲剤が入ってないものであり、アンプル破壊後においを感じるまで数分かかった。
実施例１はほとんど発泡しないため実施例６とあまり差はなかった。
実施例２では弱く発泡し、においを感じるまでは実施例６のほぼ１／２の時間であった。
実施例３〜実施例５アンプル破壊と同時に発泡をはじめ、瞬時に匂いを感じることができた。ただし実施例４および実施例５では香料が完全に溶解せず分離しているため、ガラスアンプルに注入するときは溶液をよく攪拌しながら注入するか、もしくはそれぞれ別々に注入する必要がある。
この実施例では、実施例３の組成が量産を考慮すると最適であろう。
【００２８】
次の実施例では、溶媒をかえておこなった。
【実施例７】
【００２９】
９０％３−メチル−３−メトキシブタノールと５０％クエン酸水溶液１０％加えた溶液９５％に対し香水用ホワイトフローラル香料５％くわえた液をガラスアンプルに封入した（％はすべて重量％である）。
【実施例８】
【００３０】
８５％３−メチル−３−メトキシブタノールと５０％クエン酸水溶液１０％および水５％を加えた溶液９５％に対し香水用ホワイトフローラル香料５％くわえた液をガラスアンプルに封入した。
【実施例９】
【００３１】
８０％３−メチル−３−メトキシブタノールと５０％クエン酸水溶液１０％および水１０％を加えた溶液９５％に対し香水用ホワイトフローラル香料５％くわえた液をガラスアンプルに封入した。
【実施例１０】
【００３２】
７５％３−メチル−３−メトキシブタノールと５０％クエン酸水溶液１０％および水１５％を加えた溶液９５％に対し香水用ホワイトフローラル香料５％くわえた液をガラスアンプルに封入した。
【実施例１１】
【００３３】
７０％３−メチル−３−メトキシブタノールと５０％クエン酸水溶液１０％および水２０％を加えた溶液９５％に対し香水用ホワイトフローラル香料５％くわえた液をガラスアンプルに封入した。
【実施例１２】
【００３４】
９０％３−メチル−３−メトキシブタノールの９０％香水用ホワイトフローラル香料１０％くわえた液をガラスアンプルに封入した。
【００３５】
実施例１と同様にポリプロピレン製円筒容器に重曹粉末と各実施例のアンプルを入れて発散具をつくり、ガラスアンプルを破壊し容器本体を振って攪拌して、発散状況を調べた。
実施例１２は発砲剤が入ってないものであり、アンプル破壊後においを感じるまで数分かかった。
実施例７および実施例８では発泡が弱く実施例１２とあまり差はなかった。
実施例９では香料が完全には溶解せず懸濁状態であるが発泡状態もよく瞬時に匂いを感じることができた。
実施例１０〜実施例１１では香料が分離するが発泡状態はよく瞬時に匂いを感じることができた。
【００３６】
魚釣り用集魚具の一例を図２、３に示した。
発散穴を上端と下端にそれぞれ一ヶ設けた円筒状可撓性容器内にオキアミのエキス、エチルアルコール水溶液、クエン酸の溶液を充填したガラスアンプルと重曹を入れ、且つ前記容器の上下端の発散穴を塞ぐように吸収性素材を配置したものである。この実施例ではオキアミのエキスが強制的に海水中に放出されるからスタート直後、直ちに誘引効果を発揮する。なお断面馬蹄形の保持具７で釣り糸と円筒状可撓性容器１を挟んで保持する。
【００３７】
造花用芳香剤の一例を図４に示した。
揮発性物質発散具の円筒状可撓性容器のサイズを外径３．０φ、長さ３０ｍｍで、図１或いは図２の構造のものである、これをバラの造花の芯の部分に埋設しておく。使用時は外側から芯の部分を押し曲げて中のガラスアンプルを割ると直ちに炭酸ガスとともにバラの香りが漂う、この実施例では揮発性物質発散具の取り替えはできない。また切断した枝の切断部に埋設穴を設け、この埋設穴に前記揮発性物質発散具を挿入しておくことも本発明に属する。
【００３８】
なお請求項４、５、６、８、１０，１１，１２，１３，１４、１５，１６
記載の発明は揮発性物質発散具が収まる物体に埋め込む形態あるいは取り替え易いようにポケット等の一時的に収容できる形態としたものであり、特に図面で表さなくとも理解できるので省略する。請求項１１の発明は揮発性物質発散具自体がイヤリングや指輪の形状としたものである。
【図面の簡単な説明】
【００３９】
【図１】本発明揮発性発散具の断面説明図である。
【図２】本発明の揮発性発散具を魚釣り用集魚具に応用した断面説明図である。
【図３】本発明の魚釣り用集魚具の使用状態を示す参考図である。
【図４】本発明の揮発性発散具を造花に埋設した説明図である。
【図５】本発明の揮発性発散具をぬいぐるみに装着した説明図である。
【符号の説明】
【００４０】
１  可撓性容器  
２  発散穴  
３  吸収性素材  
４  破割性容器
５  揮発性物質およびクエン酸又は無水クエン酸が溶解したアルコール系水溶液
６  重曹    
【図１】
2007125265.tif 000003
【図２】
2007125265.tif 000004
【図３】
2007125265.tif 000005
【図４】
2007125265.tif 000006
【図５】
2007125265.tif 000007